(57)【要約】【課題】  本発明は既存の配線ボックスにも容易に設置して、壁板で覆われていても、その埋設位置を検出器で容易に、短時間に探し出すことができる配線ボックスを得るにある。【解決手段】  配線ボックス本体と、この配線ボックス本体に設けられた、配線器具取付け板を取付けることができるねじ孔が形成された少なくとも一対の支柱と、この少なくとも一対の支柱の上面に固定されたねじ孔を塞ぐことなく磁石でドーナツ状に形成された埋設位置確認用センサーとで配線ボックスを構成している。【選択図】  図１
2008061289.tif 000002
【特許請求の範囲】
【請求項１】
配線ボックス本体と、この配線ボックス本体に設けられた、配線器具取付け板を取付けることができるねじ孔が形成された少なくとも一対の支柱と、この少なくとも一対の支柱の上面に固定されたねじ孔を塞ぐことなく磁石でドーナツ状に形成された埋設位置確認用センサーとからなることを特徴とする配線ボックス。
【請求項２】
配線ボックス本体と、この配線ボックス本体に設けられた、配線器具取付け板を取付けることができるねじ孔が形成された少なくとも一対の支柱と、この少なくとも一対の支柱のねじ孔へ着脱可能に挿入することができる弾性挿入片、この弾性挿入片の後端部に形成された合成樹脂材製の摘み片と、この摘み片の前記一対の支柱のねじ孔部位に埋設あるいは固定された磁石とからなる埋設位置確認用センサーとを備えることを特徴とする配線ボックス。
【請求項３】
配線ボックス本体と、この配線ボックス本体の開口部側に取付けられる少なくとも一対の配線器具取付け板を取付けるねじ孔が形成されたカバーと、このカバーの一対のねじ孔の上面に、該一対のねじ孔を塞ぐことなく固定された磁石でドーナツ状に形成された埋設位置確認用センサーとからなることを特徴とする配線ボックス。
【請求項４】
配線ボックス本体と、この配線ボックス本体の開口部側に取付けられる少なくとも一対の配線器具取付け板を取付けるねじ孔が形成されたカバーと、このカバーの一対のねじ孔部位に着脱可能に取付けることができる合成樹脂材製の取付け片、この取付け片に前記一対のねじ孔内に位置するように取付けられた磁石とからなる埋設位置確認用センサーとを備えたことを特徴とする配線ボックス。
【発明の詳細な説明】
【技術分野】
【０００１】
本発明はスイッチやコンセント等の配線器具を取付けるための壁板内等に設置される配線ボックスに関する。
【背景技術】
【０００２】
従来、壁面に設置した後、壁板で覆われ、配線時にはその設置位置がわからなくなるため、本願発明者が、配線ボックス本体の上端部に、該上端部の輪郭形状となるようにリング状の共振回路固定溝を形成し、該共振回路固定溝内にリング状の導体にコンデンサーを介装した共振回路を設置した配線ボックスが考えられ実用化されている。
【０００３】
このような配線ボックスは壁板で覆われていても、本願発明者が発明した共振回路を利用した検出器で容易に埋設されている配線ボックスを検出することができるが、共振回路を設置した配線ボックスを用いなければならず、既存の配線ボックスには共振回路の設置ができず、使用できないという欠点があった。
【特許文献１】特許第３３２４６９３号
【発明の開示】
【発明が解決しようとする課題】
【０００４】
本発明は以上のような従来の欠点に鑑み、既存の配線ボックスにも容易に設置して、壁板で覆われていても、その埋設位置を検出器で容易に、短時間に探し出すことができる配線ボックスを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は配線ボックス本体と、この配線ボックス本体に設けられた、配線器具取付け板を取付けることができるねじ孔が形成された少なくとも一対の支柱と、この少なくとも一対の支柱の上面に固定されたねじ孔を塞ぐことなく磁石でドーナツ状に形成された埋設位置確認用センサーとで配線ボックスを構成している。
【０００７】
本発明は配線ボックス本体と、この配線ボックス本体に設けられた、配線器具取付け板を取付けることができるねじ孔が形成された少なくとも一対の支柱と、この少なくとも一対の支柱のねじ孔へ着脱可能に挿入することができる弾性挿入片、この弾性挿入片の後端部に形成された合成樹脂材製の摘み片と、この摘み片の前記一対の支柱のねじ孔部位に埋設あるいは固定された磁石とからなる埋設位置確認用センサーとで配線ボックスを構成している。
【０００８】
本発明は配線ボックス本体と、この配線ボックス本体の開口部側に取付けられる少なくとも一対の配線器具取付け板を取付けるねじ孔が形成されたカバーと、このカバーの一対のねじ孔の上面に、該一対のねじ孔を塞ぐことなく固定された磁石でドーナツ状に形成された埋設位置確認用センサーとで配線ボックスを構成している。
【０００９】
本発明は配線ボックス本体と、この配線ボックス本体の開口部側に取付けられる少なくとも一対の配線器具取付け板を取付けるねじ孔が形成されたカバーと、このカバーの一対のねじ孔部位に着脱可能に取付けることができる合成樹脂材製の取付け片、この取付け片に前記一対のねじ孔内に位置するように取付けられた磁石とからなる埋設位置確認用センサーとで配線ボックスを構成している。
【発明の効果】
【００１０】
以上の説明から明らかなように、本発明にあっては次に列挙する効果が得られる。
【００１１】
（１）配線ボックス本体と、この配線ボックス本体に設けられた、配線器具取付け板を取付けることができるねじ孔が形成された少なくとも一対の支柱と、この少なくとも一対の支柱の上面に固定されたねじ孔を塞ぐことなく磁石でドーナツ状に形成された埋設位置確認用センサーとで構成されているので、壁板で覆われても、少なくとも一対の支柱の上部に取付けられた磁石の埋設位置確認用センサーが出す磁力線によって、磁力線検出器を用いることにより、容易にその埋設位置を探し出すことができる。
したがって、壁板に誤って配線ボックスの開口部以外を切断したりするのを防止できるとともに、配線作業を短時間に行なうことができる。
【００１２】
（２）前記（１）によって、少なくとも一対の支柱の上部に磁石の埋設位置確認用センサーを取付けるだけでよいので、既存の配線ボックスを配線ボックス本体として使用できる。
したがって、容易で、設備等を用いることなく、本願発明を実施することができる。
【００１３】
（３）前記（１）によって、ドーナツ状の磁石を用いた埋設位置確認用センサーを用いているので、配線器具取付け板を取付ける時に、取り外すことなく取付けることができる。
したがって、楽に取付け作業を行なうことができる。
【００１４】
（４）請求項２、３、４も前記（１）、（２）と同様な効果が得られる
【発明を実施するための最良の形態】
【００１５】
以下、図面に示す本発明を実施するための最良の形態により、本発明を詳細に説明する。
【００１６】
図１ないし図９に示す本発明を実施するための最良の第１の形態において、１は本発明の配線ボックスで、この配線ボックス１は短辺側の壁面２、２に一対のケーブル挿入孔３、３、３、３が形成され、該短辺側の壁面２、２寄りの底面４のほぼ中央部に立設するように一体形成された、配線器具取付け板をビスで取付ける一対のナット５、５が埋設された支柱６、６とからなる１個用の配線ボックス本体７と、この配線ボックス本体７の一対の支柱６、６の上面にねじ孔８、８を塞ぐことなく接着剤等で固定された埋設位置確認用センサー９、９とで構成されている。
【００１７】
前記埋設位置確認用センサー９、９は図４ないし図６に示すように、磁石でドーナツ状に形成されたセンサー本体１０と、このセンサー本体１０の下面に形成された前記支柱６の上面の皿状凹部１１に着座する円錐台形状の支持部１２と、前記センサー本体１０の上面に形成された中央部へビスをガイドするビスガイド用凹部１３とで構成されている。
【００１８】
上記構成の配線ボックス１は図７に示すように、壁面１４に取付けられ配線がされた後、図８に示すように上部を壁板１５で覆われた状態となる。
この状態で、図９に示すように壁板１５上を磁力線検出器１６をスライド移動させることにより、配線ボックス１の埋設位置確認用センサー９、９の磁力線を検出して、配線ボックス１の埋設位置を特定することができる。
なお、本発明を実施する形態では市販されている配線ボックスを配線ボックス本体として使用してもよい。
[発明を実施するための異なる形態]
【００１９】
次に、図１０ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１０ないし図１２に示す本発明を実施するための第２の形態において、前記本発明を実施するための最良の第１の形態と主に異なる点は、配線ボックス本体７Ａと、この配線ボックス本体７の開口部側に形成されたねじ孔１６が形成されたカバー取付け部１７、１７にビス１８、１８で取付けられたカバー１９と、このカバー１９に形成された配線器具取付け板に取付ける一対のナット５、５が埋設されたねじ孔８、８と、この一対のねじ孔８、８に接着剤で固定された埋設位置確認用センサー９、９とで構成した点で、このように構成された配線ボックス１Ａにしても、前記本発明を実施するための最良の第１の形態と同様な作用効果が得られる。
【００２１】
図１３ないし図１５に示す本発明を実施するための第３の形態において、前記本発明を実施するための最良の第１の形態と主に異なる点は、一対の支柱６、６のねじ孔８、８へ着脱可能に挿入することができる内部にエアーが充填された合成樹脂材製の弾性挿入片２０と、この弾性挿入片２０の後端部に一体あるいは接着固定されて形成された合成樹脂材製の摘み片２１と、この摘み片２１の前記弾性挿入片２０の軸心部分に埋設固定された棒状の磁石２２とからなる埋設位置確認用センサー９Ａ、９Ａを用いた点で、このように構成された埋設位置確認用センサー９Ａ、９Ａを用いて構成した配線ボックス１Ｂにしても、前記本発明を実施するための最良の第１の形態と同様な作用効果が得られる。
【００２２】
図１６ないし図１８に示す本発明を実施するための第４の形態において、前記本発明を実施するための第２の形態と主に異なる点は、配線ボックス本体７Ａに金属板で形成されたカバー１９Ａと、このカバー１９Ａの一対のねじ部２３、２３に合成樹脂材で挟着できるようにＵ字状に形成された取付け片２４と、この取付け片２４の背面板２４ａで、前面板２４ｂに形成した円弧状の切欠部２５のほぼ中央部に位置し、前記ねじ部２３へ挿入されるように固定された棒状の磁石２２とからなる埋設位置確認用センサー９Ｂ、９Ｂとを用いた点で、このように構成した配線ボックス１Ｃにしても、前記本発明を実施するための第２の形態と同様な作用効果が得られる。
【００２３】
図１９ないし図２１に示す本発明を実施するための第５の形態において、前記本発明を実施するための第４の形態と主に異なる点は、カバー１９Ａの一対のねじ部２３に凹部２６、２６を形成し、該凹部２６、２６内に吸着されるワッシャ状の磁石で形成した埋設位置確認用センサー９Ｃ、９Ｃを用いた点で、このように構成した配線ボックス１Ｄにしても、前記本発明を実施するための第４の形態と同様な作用効果が得られる。
【００２４】
なお、前記本発明を実施するための各形態では、配線器具が１個取付けられる１個用の配線ボックスについて説明したが、本発明はこれに限らず、配線器具を複数個取付ける複数個用の配線ボックスにも同様に実施することができる。
また、本発明はカバーに埋設位置確認用センサーを取付けたものを市販し、使用状態で本願発明となる場合も含まれる。
【産業上の利用可能性】
【００２５】
本発明は配線ボックスを製造する産業で利用される。
【図面の簡単な説明】
【００２６】
【図１】本発明を実施するための最良の第１の形態の正面図。
【図２】本発明を実施するための最良の第１の形態の平面図。
【図３】図１の３−３線に沿う断面図。
【図４】本発明を実施するための最良の第１の形態の要部拡大説明図。
【図５】図４の５−５線に沿う断面図。
【図６】本発明を実施するための最良の第１の形態の埋設位置確認用センサーの説明図。
【図７】本発明を実施するための最良の第１の形態の壁面に取付けた状態の説明図。
【図８】本発明を実施するための最良の第１の形態の壁板で覆われた状態の説明図。
【図９】本発明を実施するための最良の第１の形態の検出器で検出する状態の説明図。
【図１０】本発明を実施するための第２の形態の正面図。
【図１１】図１０の１１−１１線に沿う断面図。
【図１２】本発明を実施するための第２の形態の要部拡大説明図。
【図１３】本発明を実施するための第３の形態の正面図。
【図１４】図１３の１４−１４線に沿う断面図。
【図１５】本発明を実施するための第３の形態の要部拡大説明図。
【図１６】本発明を実施するための第４の形態の正面図。
【図１７】図１６の１７−１７線に沿う断面図。
【図１８】本発明を実施するための第４の形態の要部拡大説明図。
【図１９】本発明を実施するための第５の形態の正面図。
【図２０】図１９の２０−２０線に沿う断面図。
【図２１】本発明を実施するための第５の形態の要部拡大説明図。
【符号の説明】
【００２７】
１、１Ａ、１Ｂ、１Ｃ、１Ｄ：配線ボックス、
２：壁面、                                                  ３：ケーブル挿入孔、
４：底面、                                                  ５：ナット、    
６：支柱、                                                  ７、７Ａ：配線ボックス本体、
８：ねじ孔、
９、９Ａ、９Ｂ、９Ｃ：埋設位置確認用センサー、
１０：センサー本体、                              １１：皿状の凹部、
１２：支持部、                                                        １３：ビスガイド用凹部、
１４：壁面、                                              １５：壁板、
１６：磁力線検出器                                  １６：ねじ孔、
１７：カバー取付け部、                          １８：ビス、
１９、１９Ａ：カバー、                          ２０：弾性挿入片、
２１：摘み部、                                                        ２２：磁石、
２３：ねじ部、                                                        ２４：取付け片、
２５：切欠部、                                                        ２６：凹部。
【図１】
2008061289.tif 000003
【図２】
2008061289.tif 000004
【図３】
2008061289.tif 000005
【図４】
2008061289.tif 000006
【図５】
2008061289.tif 000007
【図６】
2008061289.tif 000008
【図７】
2008061289.tif 000009
【図８】
2008061289.tif 000010
【図９】
2008061289.tif 000011
【図１０】
2008061289.tif 000012
【図１１】
2008061289.tif 000013
【図１２】
2008061289.tif 000014
【図１３】
2008061289.tif 000015
【図１４】
2008061289.tif 000016
【図１５】
2008061289.tif 000017
【図１６】
2008061289.tif 000018
【図１７】
2008061289.tif 000019
【図１８】
2008061289.tif 000020
【図１９】
2008061289.tif 000021
【図２０】
2008061289.tif 000022
【図２１】
2008061289.tif 000023
【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
配線ボックス本体と、この配線ボックス本体に設けられた、配線器具取付け板を取付けることができるねじ孔が形成された少なくとも一対の支柱と、この少なくとも一対の支柱の上面に皿状凹部を形成し、該皿状凹部に着座する円錐台形状の支持部をねじ孔を塞ぐことなく固定された磁石でドーナツ状に形成された埋設位置確認用センサーとからなることを特徴とする配線ボックス。
【手続補正２】
【補正対象書類名】明細書
【補正対象項目名】全文
【補正方法】変更
【補正の内容】
【発明の詳細な説明】
【技術分野】
【０００１】
本発明はスイッチやコンセント等の配線器具を取付けるための壁板内等に設置される配線ボックスに関する。
【背景技術】
【０００２】
従来、壁面に設置した後、壁板で覆われ、配線時にはその設置位置がわからなくなるため、本願発明者が、配線ボックス本体の上端部に、該上端部の輪郭形状となるようにリング状の共振回路固定溝を形成し、該共振回路固定溝内にリング状の導体にコンデンサーを介装した共振回路を設置した配線ボックスが考えられ実用化されている。
【０００３】
このような配線ボックスは壁板で覆われていても、本願発明者が発明した共振回路を利用した検出器で容易に埋設されている配線ボックスを検出することができるが、共振回路を設置した配線ボックスを用いなければならず、既存の配線ボックスには共振回路の設置ができず、使用できないという欠点があった。
【特許文献１】特許第３３２４６９３号
【発明の開示】
【発明が解決しようとする課題】
【０００４】
本発明は以上のような従来の欠点に鑑み、既存の配線ボックスにも容易に設置して、壁板で覆われていても、その埋設位置を検出器で容易に、短時間に探し出すことができる配線ボックスを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は配線ボックス本体と、この配線ボックス本体に設けられた、配線器具取付け板を取付けることができるねじ孔が形成された少なくとも一対の支柱と、この少なくとも一対の支柱の上面に皿状凹部を形成し、該皿状凹部に着座する円錐台形状の支持部をねじ孔を塞ぐことなく固定された磁石でドーナツ状に形成された埋設位置確認用センサーとで配線ボックスを構成している。
【０００７】
【０００８】
【０００９】
【発明の効果】
【００１０】
以上の説明から明らかなように、本発明にあっては次に列挙する効果が得られる。
【００１１】
（１）配線ボックス本体と、この配線ボックス本体に設けられた、配線器具取付け板を取付けることができるねじ孔が形成された少なくとも一対の支柱と、この少なくとも一対の支柱の上面に皿状凹部を形成し、該皿状凹部に着座する円錐台形状の支持部をねじ孔を塞ぐことなく固定された磁石でドーナツ状に形成された埋設位置確認用センサーとで構成されているので、壁板で覆われても、少なくとも一対の支柱の上部に取付けられた磁石の埋設位置確認用センサーが出す磁力線によって、磁力線検出器を用いることにより、容易にその埋設位置を探し出すことができる。
したがって、壁板に誤って配線ボックスの開口部以外を切断したりするのを防止できるとともに、配線作業を短時間に行なうことができる。
【００１２】
（２）前記（１）によって、少なくとも一対の支柱の上部に磁石の埋設位置確認用センサーを取付けるだけでよいので、既存の配線ボックスを配線ボックス本体として使用できる。
したがって、容易で、設備等を用いることなく、本願発明を実施することができる。
【００１３】
（３）前記（１）によって、ドーナツ状の磁石を用いた埋設位置確認用センサーを用いているので、配線器具取付け板を取付ける時に、取り外すことなく取付けることができる。
したがって、楽に取付け作業を行なうことができる。
【００１４】
【発明を実施するための最良の形態】
【００１５】
以下、図面に示す本発明を実施するための最良の形態により、本発明を詳細に説明する。
【００１６】
図１ないし図９に示す本発明を実施するための最良の第１の形態において、１は本発明の配線ボックスで、この配線ボックス１は短辺側の壁面２、２に一対のケーブル挿入孔３、３、３、３が形成され、該短辺側の壁面２、２寄りの底面４のほぼ中央部に立設するように一体形成された、配線器具取付け板をビスで取付ける一対のナット５、５が埋設された支柱６、６とからなる１個用の配線ボックス本体７と、この配線ボックス本体７の一対の支柱６、６の上面にねじ孔８、８を塞ぐことなく接着剤等で固定された埋設位置確認用センサー９、９とで構成されている。
【００１７】
前記埋設位置確認用センサー９、９は図４ないし図６に示すように、磁石でドーナツ状に形成されたセンサー本体１０と、このセンサー本体１０の下面に形成された前記支柱６の上面の皿状凹部１１に着座する円錐台形状の支持部１２と、前記センサー本体１０の上面に形成された中央部へビスをガイドするビスガイド用凹部１３とで構成されている。
【００１８】
上記構成の配線ボックス１は図７に示すように、壁面１４に取付けられ配線がされた後、図８に示すように上部を壁板１５で覆われた状態となる。
この状態で、図９に示すように壁板１５上を磁力線検出器１６をスライド移動させることにより、配線ボックス１の埋設位置確認用センサー９、９の磁力線を検出して、配線ボックス１の埋設位置を特定することができる。
なお、本発明を実施する形態では市販されている配線ボックスを配線ボックス本体として使用してもよい。
[発明を実施するための異なる形態]
【００１９】
次に、図１０ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１０ないし図１２に示す本発明を実施するための第２の形態において、前記本発明を実施するための最良の第１の形態と主に異なる点は、配線ボックス本体７Ａと、この配線ボックス本体７の開口部側に形成されたねじ孔１６が形成されたカバー取付け部１７、１７にビス１８、１８で取付けられたカバー１９と、このカバー１９に形成された配線器具取付け板に取付ける一対のナット５、５が埋設されたねじ孔８、８と、この一対のねじ孔８、８に接着剤で固定された埋設位置確認用センサー９、９とで構成した点で、このように構成された配線ボックス１Ａにしても、前記本発明を実施するための最良の第１の形態と同様な作用効果が得られる。
【００２１】
図１３ないし図１５に示す本発明を実施するための第３の形態において、前記本発明を実施するための最良の第１の形態と主に異なる点は、一対の支柱６、６のねじ孔８、８へ着脱可能に挿入することができる内部にエアーが充填された合成樹脂材製の弾性挿入片２０と、この弾性挿入片２０の後端部に一体あるいは接着固定されて形成された合成樹脂材製の摘み片２１と、この摘み片２１の前記弾性挿入片２０の軸心部分に埋設固定された棒状の磁石２２とからなる埋設位置確認用センサー９Ａ、９Ａを用いた点で、このように構成された埋設位置確認用センサー９Ａ、９Ａを用いて構成した配線ボックス１Ｂにしても、前記本発明を実施するための最良の第１の形態と同様な作用効果が得られる。
【００２２】
図１６ないし図１８に示す本発明を実施するための第４の形態において、前記本発明を実施するための第２の形態と主に異なる点は、配線ボックス本体７Ａに金属板で形成されたカバー１９Ａと、このカバー１９Ａの一対のねじ部２３、２３に合成樹脂材で挟着できるようにＵ字状に形成された取付け片２４と、この取付け片２４の背面板２４ａで、前面板２４ｂに形成した円弧状の切欠部２５のほぼ中央部に位置し、前記ねじ部２３へ挿入されるように固定された棒状の磁石２２とからなる埋設位置確認用センサー９Ｂ、９Ｂとを用いた点で、このように構成した配線ボックス１Ｃにしても、前記本発明を実施するための第２の形態と同様な作用効果が得られる。
【００２３】
図１９ないし図２１に示す本発明を実施するための第５の形態において、前記本発明を実施するための第４の形態と主に異なる点は、カバー１９Ａの一対のねじ部２３に凹部２６、２６を形成し、該凹部２６、２６内に吸着されるワッシャ状の磁石で形成した埋設位置確認用センサー９Ｃ、９Ｃを用いた点で、このように構成した配線ボックス１Ｄにしても、前記本発明を実施するための第４の形態と同様な作用効果が得られる。
【００２４】
なお、前記本発明を実施するための各形態では、配線器具が１個取付けられる１個用の配線ボックスについて説明したが、本発明はこれに限らず、配線器具を複数個取付ける複数個用の配線ボックスにも同様に実施することができる。
また、本発明はカバーに埋設位置確認用センサーを取付けたものを市販し、使用状態で本願発明となる場合も含まれる。
【産業上の利用可能性】
【００２５】
本発明は配線ボックスを製造する産業で利用される。
【図面の簡単な説明】
【００２６】
【図１】本発明を実施するための最良の第１の形態の正面図。
【図２】本発明を実施するための最良の第１の形態の平面図。
【図３】図１の３−３線に沿う断面図。
【図４】本発明を実施するための最良の第１の形態の要部拡大説明図。
【図５】図４の５−５線に沿う断面図。
【図６】本発明を実施するための最良の第１の形態の埋設位置確認用センサーの説明図。
【図７】本発明を実施するための最良の第１の形態の壁面に取付けた状態の説明図。
【図８】本発明を実施するための最良の第１の形態の壁板で覆われた状態の説明図。
【図９】本発明を実施するための最良の第１の形態の検出器で検出する状態の説明図。
【図１０】本発明を実施するための第２の形態の正面図。
【図１１】図１０の１１−１１線に沿う断面図。
【図１２】本発明を実施するための第２の形態の要部拡大説明図。
【図１３】本発明を実施するための第３の形態の正面図。
【図１４】図１３の１４−１４線に沿う断面図。
【図１５】本発明を実施するための第３の形態の要部拡大説明図。
【図１６】本発明を実施するための第４の形態の正面図。
【図１７】図１６の１７−１７線に沿う断面図。
【図１８】本発明を実施するための第４の形態の要部拡大説明図。
【図１９】本発明を実施するための第５の形態の正面図。
【図２０】図１９の２０−２０線に沿う断面図。
【図２１】本発明を実施するための第５の形態の要部拡大説明図。
【符号の説明】
【００２７】
１、１Ａ、１Ｂ、１Ｃ、１Ｄ：配線ボックス、
２：壁面、                                                  ３：ケーブル挿入孔、
４：底面、                                                  ５：ナット、    
６：支柱、                                                  ７、７Ａ：配線ボックス本体、
８：ねじ孔、
９、９Ａ、９Ｂ、９Ｃ：埋設位置確認用センサー、
１０：センサー本体、              １１：皿状の凹部、
１２：支持部、                    １３：ビスガイド用凹部、
１４：壁面、                      １５：壁板、
１６：磁力線検出器                １６：ねじ孔、
１７：カバー取付け部、            １８：ビス、
１９、１９Ａ：カバー、            ２０：弾性挿入片、
２１：摘み部、                    ２２：磁石、
２３：ねじ部、                    ２４：取付け片、
２５：切欠部、                    ２６：凹部。